(57)【要約】      （修正有）【課題】マス目描画のための位置合わせが容易に出来るマス目作成定規を提供する。【解決手段】同じ形状の複数の矩形を有する矩形部を備える。矩形部を構成する矩形１１ａ，１１ｂの間に設けられ、矩形部を構成する矩形と同じ形状の矩形を１以上有する開口部１３を備える。矩形部を構成する矩形の長手方向の両端を挟む側部１５ａ，１５ｂを備える。矩形部を構成する矩形と、開口部を構成する矩形とが妻手方向に交互に並べられ、矩形部を構成する矩形、及び開口部を構成する矩形の長手方向の長さは、矩形部を構成する矩形各々の妻手方向の長さと、開口部を構成する矩形の妻手方向の長さを足し合わせた長さと等しく、側部における、矩形部を構成する矩形の長手方向の端部と接続する部分は、矩形部を構成する矩形各々の妻手方向の長さと、開口部を構成する矩形の妻手方向の長さを足し合わせたものよりも長く、矩形部を構成する矩形の妻手方向に突出する部分１５ａ１，１５ａ２，１５ｂ１，１５ｂ２を有する。【選択図】図１
0003194518.tif 000002
【実用新案登録請求の範囲】
【請求項１】
略同じ形状の複数の矩形を有する矩形部と、
前記矩形部を構成する矩形の間に設けられ、前記矩形部を構成する矩形と略同じ形状の矩形を１以上有する開口部と、
前記矩形部を構成する矩形の長手方向の両端を挟む側部とを備え、
前記矩形部を構成する矩形と、前記開口部を構成する矩形とが妻手方向に交互に並べられ、
前記矩形部を構成する矩形、及び前記開口部を構成する矩形の長手方向の長さは、前記矩形部を構成する矩形それぞれの妻手方向の長さと、前記開口部を構成する矩形の妻手方向の長さを足し合わせた長さと略等しく、
前記側部における、前記矩形部を構成する矩形の長手方向の端部と接続する部分は、前記矩形部を構成する矩形それぞれの妻手方向の長さと、前記開口部を構成する矩形の妻手方向の長さを足し合わせたものよりも長く、前記矩形部を構成する矩形の妻手方向に突出する部分を有し、
前記矩形部と前記側部は、光が透過する素材で構成されることを特徴とするマス目作成定規。
【請求項２】
前記矩形部を構成する矩形の短辺に直線状の第１切り込みを設けたことを特徴とする請求項１に記載のマス目作成定規。
【請求項３】
前記矩形部を構成する矩形の短辺と平行で当該矩形をｎ等分する第２切り込みが設けられ、
前記ｎの値は、前記矩形部を構成する矩形の数と、前記開口部を構成する矩形の数の和であることを特徴とする請求項１または請求項２に記載のマス目作成定規。
【請求項４】
前記側部には、前記矩形部若しくは前記開口部を構成する矩形の長辺の延長線上に第３切り込みが設けられることを特徴とする請求項１または請求項２または請求項３に記載のマス目作成定規。
【請求項５】
前記側部は、前記矩形部を構成する矩形の長手方向の端部と接続する部分が長辺の略矩形形状を有し、前記側部を構成する矩形の短辺は、前記矩形部を構成する矩形の短辺の長さと略等しいことを特徴とする請求項１に記載のマス目作成定規。
【請求項６】
前記矩形部を構成する矩形の短辺は、前記開口部を構成する矩形の短辺よりも短いことを特徴とする請求項１に記載のマス目作成定規。
【考案の詳細な説明】
【技術分野】
【０００１】
本考案は、マス目を簡単に作成出来る定規に関する。
【背景技術】
【０００２】
従来、特許文献１のように、溝に沿って線を引き、定規を９０度回転させて当該溝に沿って線を引くことで、マス目を形成出来る定規が提案されている。
【先行技術文献】
【特許文献】
【０００３】
【特許文献１】実用新案登録第３１７２１３６号公報
【考案の概要】
【考案が解決しようとする課題】
【０００４】
しかし、９０度回転させた時の位置合わせが容易でない。
【０００５】
したがって本考案の目的は、マス目描画のための位置合わせが容易に出来るマス目作成定規を提供することである。
【課題を解決するための手段】
【０００６】
本考案に係るマス目作成定規は、略同じ形状の複数の矩形を有する矩形部と、矩形部を構成する矩形の間に設けられ、矩形部を構成する矩形と略同じ形状の矩形を１以上有する開口部と、矩形部を構成する矩形の長手方向の両端を挟む側部とを備え、矩形部を構成する矩形と、開口部を構成する矩形とが妻手方向に交互に並べられ、矩形部を構成する矩形、及び開口部を構成する矩形の長手方向の長さは、矩形部を構成する矩形それぞれの妻手方向の長さと、開口部を構成する矩形の妻手方向の長さを足し合わせた長さと略等しく、側部における、矩形部を構成する矩形の長手方向の端部と接続する部分は、矩形部を構成する矩形それぞれの妻手方向の長さと、開口部を構成する矩形の妻手方向の長さを足し合わせたものよりも長く、矩形部を構成する矩形の妻手方向に突出する部分を有し、矩形部と側部は、光が透過する素材で構成される。
【０００７】
左手などでマス目作成定規を固定した状態で、矩形部を構成する矩形の長辺それぞれにペン先をあてて当該長辺と同じ長さの線分を描く（第１工程）。矩形部を構成する矩形の長辺にそって線分を描くことにより、同じ長さで且つ等間隔の線分を描くことが出来る。
【０００８】
描画対象物は動かさずに、マス目作成定規を９０度回転させ、第２工程で描いた線分のうち外側の線分の一部が、開口部を構成する矩形の短辺と重なり、第２工程で描いた線分のうち外側の線分の端部が、矩形部を構成する矩形の長辺と突出部の接続部と重なるように、位置決めを行う（第３工程）。
【０００９】
第３工程の位置決めがされた状態で、矩形部を構成する矩形の長辺それぞれにペン先をあてて当該長辺と同じ長さの線分を描く（第４工程）。矩形部を構成する矩形の長辺にそって線分を描くことにより、同じ長さで且つ等間隔の線分を描くことになり、第２工程の線分描画と合わせると、縦横同じ数のマス目が完成する。
【００１０】
これにより、簡単にマス目を描画することが可能になる。特に、第３工程において、開口部の短辺と、第２工程で描画された線分とを重ね合わせることにより、位置合わせが容易に行える。
【００１１】
好ましくは、矩形部を構成する矩形の短辺に直線状の第１切り込みを設けた。
【００１２】
第３工程において、開口部を構成する矩形の短辺や第１切り込みと、第２工程で描画された線分とを重ね合わせることにより、位置合わせを容易に出来る。
【００１３】
また、好ましくは、矩形部を構成する矩形の短辺と平行で当該矩形をｎ等分する第２切り込みが設けられ、ｎの値は、矩形部を構成する矩形の数と、開口部を構成する矩形の数の和である。
【００１４】
第３工程において、第２工程で描いた線分のうち内側の線分を第２切り込みと重ね合わせることにより、位置合わせを容易に出来る。
【００１５】
また、好ましくは、側部には、矩形部若しくは開口部を構成する矩形の長辺の延長線上に第３切り込みが設けられる。
【００１６】
紙などのマス目を描画する対象物の上に設けられた罫線と第３切り込みを合わせることなどにより、マス目を作成する当該対象物上の位置決めを容易に出来るメリットがある。
【００１７】
また、好ましくは、側部は、矩形部を構成する矩形の長手方向の端部と接続する部分が長辺の略矩形形状を有し、側部を構成する矩形の短辺は、矩形部を構成する矩形の短辺の長さと略等しい。
【００１８】
側部を構成する矩形の外側の長辺を、マス目を作成する当該対象物上の位置決めに使ったり、矩形部を構成する矩形の長辺部分に沿った描画で形成されるマス目よりも一回り大きいマス目の外形を描画するのに使ったり出来るメリットがある。
【００１９】
また、好ましくは、矩形部を構成する矩形の短辺は、開口部を構成する矩形の短辺よりも短い。
【００２０】
描画時に、筆記具のペン先の先端から矩形部を構成する矩形の厚みの長さだけ離れた位置のペン先の半径の長さ分だけ、ペン先の先端が、矩形部を構成する矩形の長辺から離れる可能性がある。このため、等間隔のマス目を形成しやすくするように、矩形部を構成する矩形の厚みや、筆記具のペン先の太さを考慮して、矩形部を構成する矩形の短辺を、開口部を構成する矩形の短辺よりも少し短くしておいてもよい。
【考案の効果】
【００２１】
以上のように本考案によれば、マス目描画のための位置合わせが容易に出来るマス目作成定規を提供することができる。
【図面の簡単な説明】
【００２２】
【図１】本実施形態におけるマス目作成定規の斜視図である。
【図２】描画対象物上にマス目作成定規を置き、描画のためにペン先を当てた状態を示す斜視図ある。
【図３】第２工程の線分描画を行った状態のマス目作成定規の斜視図である。
【図４】第４工程の線分描画を行った状態のマス目作成定規の斜視図である。
【図５】３つの矩形で構成された矩形部と、２つの矩形で構成された開口部とを備えたマス目作成定規の斜視図である。
【図６】第１切り込みを設けたマス目作成定規の斜視図である。
【図７】第１切り込みと第２切り込みを設けたマス目作成定規の斜視図である。
【図８】第１切り込みと第２切り込みと第３切り込みを設けたマス目作成定規の斜視図である。
【図９】開口部の妻手方向寸法を少し広げた状態のマス目作成定規の斜視図である。
【考案を実施するための形態】
【００２３】
以下、本実施形態について、図を用いて説明する。本実施形態におけるマス目作成定規１は、矩形部１１と、開口部１３と、当該矩形部１１の長手方向両端を挟む側部１５を備える。
【００２４】
矩形部１１は、略同じ形状の複数の矩形を有する。
【００２５】
開口部１３は、矩形部１１を構成する矩形の間に設けられ、矩形部１１を構成する矩形と略同じ形状の矩形を１以上有し、矩形部１１を構成する矩形と、開口部１３を構成する矩形とが妻手方向（短辺方向）に交互に並べられる。なお、ここで言う略同じ形状は、開口部１３を構成する矩形の短辺が矩形部１１を構成する矩形の短辺よりも少し長い形態（図９参照）を含む。開口部１３を構成する矩形は、矩形部１１を構成する矩形よりも１つ少ない。例えば、矩形部１１が３つの矩形で構成される場合には、開口部は２つになる。
【００２６】
図１〜図４では、縦３つ×横３つのマス目を描画するために、矩形部１１が２つの矩形（第１矩形１１ａ、第２矩形１１ｂ）で構成され、開口部１３が一つの矩形で構成される例を示すが、描画したいマス目に合わせて、矩形部１１や開口部１３の矩形の数を更に増やしても良い（図５参照）。図５は、３つの矩形（第１矩形１１ａ〜第３矩形１１ｃ）で構成された矩形部１１と、２つの矩形で構成された開口部１３を備えるマス目作成定規１の例を示す。
【００２７】
矩形部１１を構成する矩形、及び開口部１３を構成する矩形の長手方向（長辺方向）の長さＸ１は、矩形部１１を構成する矩形それぞれの妻手方向の長さ（幅）Ｙ１と、開口部１３を構成する矩形の妻手方向の長さ（幅）Ｙ１を足し合わせた長さと略等しい。すなわち、開口部１３を間に挟んだ矩形部１１の外形は、略正方形形状を有する。
【００２８】
矩形部１１を構成する矩形の長手方向の両端は、側部１５（第１側部１５ａ、第２側部１５ｂ）で挟まれる。第１側部１５ａと第２側部１５ｂは、略矩形（角丸四角形）形状を有し、矩形部１１を構成する矩形の長手方向の端部と接続する部分（長辺）の長さＹ２は、矩形部１１を構成する矩形それぞれの妻手方向の長さＹ１と、開口部１３を構成する矩形の妻手方向の長さＹ１を足し合わせたものよりも長く、矩形部１１を構成する矩形の妻手方向に突出する部分（第１突出部１５ａ１、第２突出部１５ａ２、第３突出部１５ｂ１、第４突出部１５ｂ２）を有する。
【００２９】
矩形部１１と側部１５は、厚さｔを有し、透明若しくは半透明で光が透過する素材（例えばプラスチック素材）で構成される。
【００３０】
本実施形態におけるマス目作成定規１を使って、マス目を作成する手順について説明する。紙などのマス目を描画する対象物の上にマス目作成定規１を載置する（第１工程）。
【００３１】
左手などでマス目作成定規１を固定した状態で、矩形部１１を構成する矩形の長辺それぞれにペン先をあてて当該長辺と同じ長さの線分を描く（第２工程）。図１〜図４のマス目作成定規１では、第１矩形１１ａの２つの長辺、第２矩形１１ｂの２つの長辺にそって線分を描くことにより、計４本の同じ長さで且つ等間隔の線分（横線）を描くことが出来る。
【００３２】
描画対象物は動かさずに、マス目作成定規１を９０度回転させ、第２工程で描いた線分のうち外側の線分の一部が、開口部１３を構成する矩形の短辺と重なり、第２工程で描いた線分のうち外側の線分の端部が、矩形部１１を構成する矩形の長辺と突出部（第１突出部１５ａ１、第２突出部１５ａ２、第３突出部１５ｂ１、第４突出部１５ｂ２）の接続部と重なるように、位置決めを行う（第３工程）。
【００３３】
第３工程の位置決めがされた状態で、矩形部１１を構成する矩形の長辺それぞれにペン先をあてて当該長辺と同じ長さの線分を描く（第４工程）。図１〜図４のマス目作成定規１では、第１矩形１１ａの２つの長辺、第２矩形１１ｂの２つの長辺にそって線分を描くことにより、計４本の同じ長さで且つ等間隔の線分（縦線）を描くことになり、第２工程の線分描画と合わせると、縦３つ×横３つのマス目が完成する。
【００３４】
これにより、簡単にマス目を描画することが可能になる。特に、第３工程において、開口部１３の短辺と、第２工程で描画された線分とを重ね合わせることにより、位置合わせが容易に行える。
【００３５】
また、矩形部１１を構成する矩形（第１矩形１１ａ、第２矩形１１ｂ）の短辺（側部との接続部）の全部または一部に直線状の切り込み（第１切り込み１２ａ）を設ける形態が考えられる（図６参照）。この場合には、第３工程において、開口部１３を構成する矩形の短辺や第１切り込み１２ａと、第２工程で描画された線分とを重ね合わせることにより、位置合わせを更に容易に出来る。
【００３６】
また、矩形部１１を構成する矩形（第１矩形１１ａ、第２矩形１１ｂ）の短辺と平行で当該矩形をｎ等分する切り込み（第２切り込み１２ｂ）を設ける形態が考えられる（図７参照）。ｎは、矩形部１１を構成する矩形の数と、開口部１３を構成する矩形の数の和であり、図７では、３等分する第２切り込み１２ｂが設けられる形態を示す。これにより、第３工程において、第２工程で描いた線分のうち外側の線分を第１切り込み１２ａと重ね合わせ、内側の線分を第２切り込み１２ｂと重ね合わせることにより、位置合わせを更に容易に出来る。
【００３７】
また、第１側部１５ａや第２側部１５ｂには、矩形部１１若しくは開口部１３を構成する矩形の長辺の延長線上に第３切り込み１２ｃが設けられてもよい（図８参照）。紙などのマス目を描画する対象物の上に設けられた罫線と第３切り込み１２ｃを合わせることなどにより、マス目を作成する当該対象物上の位置決めを容易に出来るメリットがある。
【００３８】
また、側部１５（第１側部１５ａ、第２側部１５ｂ）が、矩形部１１を構成する矩形の長手方向の端部と接続する部分が長辺の略矩形形状を有し、側部１５を構成する矩形（第１側部１５ａ、第２側部１５ｂ）の短辺の長さＸ２が、矩形部１１を構成する矩形の短辺Ｙ１の長さと略等しいと、側部１５を構成する矩形の外側の長辺を、マス目を作成する当該対象物上の位置決めに使ったり、矩形部１１を構成する矩形の長辺部分に沿った描画で形成されるマス目よりも一回り大きいマス目の外形を描画するのに使ったり出来るメリットがある。
【００３９】
また、第２工程などの描画時に、筆記具のペン先の先端から矩形部１１を構成する矩形の厚みの長さｔだけ離れた位置のペン先の半径の長さ分だけ、ペン先の先端が、矩形部１１を構成する矩形の長辺から離れる可能性がある。このため、等間隔のマス目を形成しやすくするように、矩形部１１を構成する矩形の厚さｔや、筆記具のペン先の太さを考慮して、矩形部１１を構成する矩形の短辺を、開口部１３を構成する矩形の短辺よりも少し短くしておいてもよい（図９参照）。
【符号の説明】
【００４０】
１  マス目作成定規
１１  矩形部
１１ａ〜１１ｃ  第１矩形〜第３矩形
１２ａ〜１２ｃ  第１切り込み〜第３切り込み
１３  開口部
１５  側部
１５ａ、１５ｂ  第１側部、第２側部
１５ａ１  第１突出部
１５ａ２  第２突出部
１５ｂ１  第３突出部
１５ｂ２  第４突出部
【図１】
0003194518.tif 000003
【図２】
0003194518.tif 000004
【図３】
0003194518.tif 000005
【図４】
0003194518.tif 000006
【図５】
0003194518.tif 000007
【図６】
0003194518.tif 000008
【図７】
0003194518.tif 000009
【図８】
0003194518.tif 000010
【図９】
0003194518.tif 000011